(57)【要約】【課題】基地局の空き通話チャネルが無くなった場合、又はトラヒックが一定以上になった場合に、近隣の基地局にある空き通話チャネルを利用し、システム全体の呼損率の低減を図るとともに、移動局が空き通話チャネルの無い基地局にアクセスすることなく、短時間で確実に空き通話チャネルのある基地局に接続できる移動体通信システムを提供する。【解決手段】基地局１において全通話チャネルが使用中となった場合、又はトラヒックが一定以上となった場合に、基地局１は移動局への制御チャネルの送出を停止し、これにより、当該基地局１で待受け中の移動局は、基地局１からの制御チャネルを認識することができなくなり、このため、移動局は近隣で空き通話チャネルを有する基地局２からの制御チャネルを受信するよう切替えを行ない、これにより、システム全体の呼損率の低減と移動局からの呼接続時間の短縮を図る。【選択図】図３
2008167477.tif 000002
【特許請求の範囲】
【請求項１】
第１のエリア内に存在する第１エリア内通信端末を管理するとともに、第１エリア内通信端末に対して設定可能な通信チャネルを保有し、第１エリア内通信端末からの通信チャネルの設定要求を受付けて第１エリア内通信端末に対して通信チャネルを設定する第１の基地局と、
第２のエリア内に存在する第２エリア内通信端末の管理を行う第２の基地局とを有する通信システムにおいて、
前記第１の基地局は、
所定の場合に、第１エリア内通信端末からの通信チャネルの設定要求の受付けを中止するとともに、通信チャネルの設定要求の受付けを中止したことを通知する通知情報を生成し、生成した通知情報を前記第２の基地局に対して送信し、
前記第２の基地局は、
前記第１の基地局から送信された通知情報を受信し、受信した通知情報を第２エリア内通信端末に対して送信することを特徴とする通信システム。
【請求項２】
前記第１の基地局は、
所定の基地局制御装置を介して前記第２の基地局と接続しており、
通知情報を生成した場合に、前記基地局制御装置を介して通知情報を前記第２の基地局に送信することを特徴とする請求項１に記載の通信システム。
【請求項３】
前記第１の基地局は、
第１の基地局制御装置と接続しており、
前記第２の基地局は、
前記第１の基地局制御装置と接続している第２の基地局制御装置と接続しており、
前記第１の基地局は、
通知情報を生成した場合に、前記第１の基地局制御装置及び前記第２の基地局制御装置を介して通知情報を前記第２の基地局に送信することを特徴とする請求項１又は２に記載の通信システム。
【請求項４】
前記第２の基地局は、
前記第１の基地局以外の他の基地局と通信可能であり、
前記第１の基地局から送信された通知情報を受信した場合に、受信した通知情報を前記他の基地局に対して送信することを特徴とする請求項１〜３のいずれかに記載の通信システム。
【請求項５】
それぞれが所定のエリアを管理対象エリアとし、それぞれが管理対象エリア内に存在する通信端末に対して設定可能な通信チャネルを保有するとともに、管理対象エリア内に存在する通信端末からの通信チャネルの設定要求を受付けて管理対象エリア内に存在する通信端末に対して通信チャネルを設定する複数の基地局に接続され、
前記複数の基地局の制御を行なう基地局制御装置において、
特定の基地局が通信チャネルの設定要求の受付けを中止した場合に、前記特定の基地局が通信チャネルの設定要求の受付けを中止したことを検出するとともに、前記特定の基地局が通信チャネルの設定要求の受付けを中止したことを通知する通知情報を生成し、生成した通知情報を前記特定の基地局以外の他の基地局に送信し、他の基地局からそれぞれの管理対象エリア内に存在する通信端末に通知情報を送信させることを特徴とする基地局制御装置。
【請求項６】
前記基地局制御装置は、
少なくとも一つ以上の基地局の制御を行なう他の基地局制御装置に接続されており、
通知情報を生成した場合に、生成した通知情報を前記他の基地局制御装置に送信し、前記他の基地局制御装置から前記他の基地局制御装置が制御を行なっている基地局に通知情報を送信させることを特徴とする請求項５に記載の基地局制御装置。
【請求項７】
前記基地局制御装置は、
所定の通信端末からの通信チャネルの設定要求を受付けて通信端末に対して通信チャネルを設定する少なくとも一つ以上の基地局の制御を行なう他の基地局制御装置に接続されており、
前記他の基地局制御装置が制御を行なっているいずれかの基地局が通信チャネルの設定要求の受付けを中止した場合に、前記他の基地局制御装置が制御を行なっているいずれかの基地局が通信チャネルの設定要求の受付けを中止したことを通知する通知情報を前記他の基地局制御装置より受信し、受信した通知情報を前記複数の基地局に送信し、前記複数の基地局からそれぞれの管理対象エリア内に存在する通信端末に通知情報を送信させることを特徴とする請求項５又は６に記載の基地局制御装置。
【発明の詳細な説明】
【技術分野】
【０００１】
本発明は、サービス・エリアが複数のセルで構成された移動体通信システムに関し、特に各セルごとに配置された基地局が移動局の通信制御を行う際の通信制御技術に関する。
【背景技術】
【０００２】
移動体通信システムでは、移動局が移動しても移動局の通信が途絶えぬよう、または、各場所で必要なトラヒックを収容できるよう、複数の基地局を設置し、また、複数のセルを部分的に重複させている場所がある。
従来の移動体通信システムでは、一つの基地局において全通話チャネルが使用状態となった場合、すなわち基地局に空き通話チャネルがなくなった場合に、当該基地局で待受け状態にある移動局が発信する前に、当該基地局から移動局に対して、空き通話チャネルがないことを通知する手段がない。このため、当該基地局で待受け中の移動局は、移動局からの呼接続要求に対する応答として当該基地局から空き通話チャネルなしによる呼接続要求拒否の通知を受信しない限り、当該基地局に空きチャネルがなくなったことを認識できない。
【０００３】
図２は、従来の移動体通信システムにおける呼接続要求の際の動作の一例を示す。
基地局１では、全通話チャネルが使用中となり、空き通話チャネルが無くなった場合でも、基地局１で待ちうけ中の移動局に空き通話チャネルがないことを通知しない。
そして、基地局１に空き通話チャネルがないことを知らない移動局が呼接続要求メッセージを送信した際に、基地局１は移動局に対して空き通話チャネルがないことを理由にする呼接続要求拒否メッセージを送信する。
基地局１において待受け中の移動局は、呼接続要求拒否メッセージを受信して初めて基地局１に空き通話チャネルがないことを認識し、サービス・エリアが重複している基地局２の制御チャネルを受信し、基地局２に接続して通信を開始する。
【０００４】
以上のように、従来の移動体通信システムでは、空きチャネルがないことを通知する手段がないため、ある基地局で待受け中の移動局は、移動局からの呼接続要求に対する応答として当該基地局から空き通話チャネルなしによる呼接続要求拒否の通知を受信しない限り、当該基地局に空きチャネルが無くなったことを認識できない。
【０００５】
また、基地局から空き通話チャネル無しによる呼接続要求拒否の通知があった場合でも、移動局が、制御チャネルを受信する基地局を他の基地局に自律的に切替えない限り、空き通話チャネルが無くなった基地局のセル内では、移動局は発信を行えないことになる。
【０００６】
移動局が制御チャネルの受信元を自律的に他の基地局に切替え、他の基地局からの制御チャネルを受信する場合であっても、空き通話チャネルが無い基地局が複数ある状況では、移動局は複数の基地局に対してそれぞれ呼接続要求を行う必要があり、この結果、複数回の呼接続要求を発信しなければならない。このため、空き通話チャネルのある基地局に接続するまでに、相当の時間がかかる場合がある。
【特許文献１】特開２０００−３２４５５３号公報
【特許文献２】特開平１０−２５７５６７号公報
【特許文献３】特開平０８−２２３６２９号公報
【発明の開示】
【発明が解決しようとする課題】
【０００７】
以上のように、従来の移動体通信システムでは、基地局から移動局に対して空き通話チャネルがないことを通知する手段がないため、空き通話チャネルがなくなった基地局で待受け中の移動局は、呼接続要求に対する応答として呼接続要求拒否の通知を受信しない限り、当該基地局に空きチャネルがなくなったことを認識できないとの問題がある。
【０００８】
本発明は、このような問題を解決することを主な目的としており、基地局の空き通話チャネルが無くなった場合又はトラヒックが一定以上になった場合に、近隣の基地局にある空き通話チャネルを利用し、システム全体の呼損率の低減を図るとともに、移動局が空きチャネルの無い基地局にアクセスすることなく、短時間で確実に空きチャネルのある基地局に接続できる移動体通信システムを提供することを主な目的とする。
【課題を解決するための手段】
【０００９】
本発明に係る通信システムは、
第１のエリア内に存在する第１エリア内通信端末を管理するとともに、第１エリア内通信端末に対して設定可能な通信チャネルを保有し、第１エリア内通信端末からの通信チャネルの設定要求を受付けて第１エリア内通信端末に対して通信チャネルを設定する第１の基地局と、
第２のエリア内に存在する第２エリア内通信端末の管理を行う第２の基地局とを有する通信システムにおいて、
前記第１の基地局は、
所定の場合に、第１エリア内通信端末からの通信チャネルの設定要求の受付けを中止するとともに、通信チャネルの設定要求の受付けを中止したことを通知する通知情報を生成し、生成した通知情報を前記第２の基地局に対して送信し、
前記第２の基地局は、
前記第１の基地局から送信された通知情報を受信し、受信した通知情報を第２エリア内通信端末に対して送信することを特徴とする。
【発明の効果】
【００１０】
本発明は、例えば基地局の空き通信チャネルが無くなった場合又は通信トラヒックが一定以上になった場合に、エリア内通信端末が制御情報を認識できない状態にすることにより、空き通信チャネルが無い基地局又は通信トラヒックが一定以上である基地局にエリア内通信端末がアクセスすることを回避でき、これにより、呼損率の低減を図ることができ、エリア内通信端末が短時間で確実に空き通信チャネルのある基地局に接続できるとの効果を奏する。
【発明を実施するための最良の形態】
【００１１】
実施の形態１．
図１は、本実施の形態に係る移動体通信システムの全体構成を示す図である。
本実施の形態に係る移動体通信システムは、移動局（通信端末）、基地局、基地局制御装置から構成される。
【００１２】
基地局３ａはサービス・エリア５ａを管理対象とし、基地局３ｂはサービス・エリア５ｂを管理対象とし、基地局３ｃはサービス・エリア５ｃを管理対象とし、基地局３ｄはサービス・エリア５ｄを管理対象としている。各基地局は所定数の通話チャネル（通信チャネル）を保有しており、移動局からの要求に基づき移動局に通話チャネルを設定する。なお、基地局３ａは保有する全通話チャネルが使用中であり、基地局３ｂは空き通話チャネルを有しているとする。
また、移動局１ａはサービス・エリア５ａにおいて無線回線を介して基地局３ａと接続中（通話チャネルが設定済）であり、移動局２ａはサービス・エリア５ａにおいて待受け中（通話チャネルが未設定）である。移動局１ｂは、サービス・エリア５ｂにおいて無線回線を介して基地局３ｂと接続中（通話チャネルが設定済）である。移動局２ｂは、基地局３ａ配下で待受け中（通話チャネルが未設定）であるが、空き通話チャネルを有する基地局３ｂのサービス・エリア５ｂと重なっているサービス・エリア５ｅで待受け中である。
基地局制御装置４ａは、基地局３ａ及び基地局３ｂに接続され、基地局３ａ及び基地局３ｂの制御を行う。また、基地局制御装置４ｂは、基地局３ｃ及び基地局３ｄに接続され、基地局３ｃ及び基地局３ｄの制御を行う。
ここでは、基地局３ａと基地局３ｂは同一の一斉呼出しエリアに設定されており、基地局３ｃと基地局３ｄは同一の一斉呼出しエリアに設定されているものとする。
【００１３】
本実施の形態では、基地局は、全通話チャネルが使用中（空き通話チャネルがない状態）又は通話チャネルが設定されている移動局の通信トラヒックが一定レベル以上である場合に、制御チャネル（制御情報）の送信を停止する。そして、制御チャネルの送信停止により、基地局からの制御チャネルが認識できなくなった移動局は他の基地局からの制御チャネルを受信し、他の基地局と接続する。なお、制御チャネル（制御情報）とは、待受け中の移動局を対象として送信される情報であり、例えば、通話チャネルの設定を要求する呼接続要求メッセージを移動局から送信する際の送信タイミング（チャネル）等を制御するための情報であり、基地局において通信中（通話チャネルが設定済）の移動局の各々を対象とした移動局ごとの個別の制御チャネルとは異なる。
例えば、サービス・エリア５ｅにおいて基地局３ａからの制御チャネル（制御情報）を受信して待受け中の移動局２ｂは、基地局３ａの空き通話チャネルが無くなった場合又は移動局１ａの通信トラヒックが一定以上になった場合に、基地局３ａからの制御チャネルが認識でなくなるため、基地局３ａの制御チャネルから基地局３ｂの制御チャネルに切替えて待受け状態に入る。
また、サービス・エリア５ｅにおいて、基地局３ａ又は基地局３ｂからの制御チャネルを受信して待受け中の移動局２ｂは、基地局３ａ又は３ｂの空き通話チャネルが無くなった場合、又は移動局１ａ、移動局１ｂの通信トラヒックが一定以上になった場合、基地局３ａ又は基地局３ｂからの制御チャネルが認識できなくなるため、基地局３ａ又は基地局３ｂの制御チャネルから基地局３ｃ又は基地局３ｄの制御チャネルに切替えて待受け状態に入る。
【００１４】
図２３に、本実施の形態に係る基地局の構成例を示す。
移動局用通信部３０１は、管理対象のエリア内にいる移動局との間で通信を行う。また、移動局用通信部３０１は、制御チャネルにて制御情報を移動局に連続して送信する。ここで制御情報を連続して送信するとは、制御情報を周期的又は常時送信することを意味する。また、移動局用通信部３０１は、所定の場合に、制御情報の送信を停止する。
制御情報生成部３０２は、移動局に送信する制御情報を生成する。
通話チャネル設定部３０３は、所定数の通話チャネル（通信チャネル）を管理し、制御情報を受信した移動局からの通話チャネル（通信チャネル）の設定要求を受付けて通話チャネルの設定要求のあった移動局に対して通話チャネルを設定する。
制御情報制御部３０４は、通話チャネルの設定状況又は移動局の通信トラヒックを分析し、空き通話チャネルの数が所定数以下（例えば、ゼロ以下）になった場合、又は通信トラヒックが一定レベル以上になった場合に、移動局用通信部３０１及び制御情報生成部３０２を制御して移動局が制御情報を認識できない状態にする。本実施の形態では、制御情報制御部３０４は、移動局用通信部３０１及び制御情報生成部３０２を制御して制御情報の送信を停止させる。
制御装置用通信部３０５は、基地局制御装置４との間で通信を行う。なお、移動局用通信部３０１と制御装置用通信部３０５とを合わせたものが通信部に相当する。
中継処理部３０６は、通話チャネル上で送受信される情報について、移動局と基地局制御装置４との間で中継処理を行う。
なお、図２３では、本実施の形態に係る基地局の機能を実現するための要素のみを示しており、図２３に示す要素以外の要素を追加してもよい。
【００１５】
図３は、本実施の形態における基地局、移動局の動作を示すシーケンス図である。
図３では、基地局１は図１の基地局３ａに相当し、基地局２は図１の基地局３ｂに相当し、基地局１において待受け中の移動局は図１の移動局２ｂに相当する。
【００１６】
基地局１は、制御チャネル（制御情報）を周期的に送出しているが、全通話チャネルが使用中になった場合（またはトラヒックが一定レベル以上になった場合）、基地局１は制御チャネルの送出を停止する。
基地局１からの制御チャネルを受信して待受け中であった移動局は、基地局１からの制御チャネルの送出が停止されたことにより、制御チャネルが認識できなくなる。そして、移動局は、サービス・エリアが重複しており、且つ空き通話チャネルを有する基地局２の制御チャネルを受信するよう切替えを行う。その後、移動局は、基地局２に対して呼接続要求メッセージ（通話チャネルの設定要求）を送信し、基地局２から設定された通話チャネルにて通話を開始する。
なお、基地局１において通信中（通話チャネルが設定済）の移動局については、当該移動局向けの個別の制御チャネルは維持されるため、基地局１において通信中の移動局は通信を継続することができる。
【００１７】
以上のように、本実施の形態に係る移動体通信システムは、一つの基地局にて空き通話チャネルが無くなった場合、又はトラヒックが一定以上になった場合、当該基地局からの制御チャネルの送出を停止することにより、当該基地局で待受け中の移動局は、当該基地局からの制御チャネルを認識できなくなり、近隣の他基地局に接続することを特徴とする。
【００１８】
このように、本実施の形態によれば、基地局の空き通話チャネルが無くなった場合又はトラヒックが一定以上になった場合に、近隣の基地局にある空き通話チャネルを利用し、システム全体の呼損率の低減を図るとともに、移動局が空き通話チャネルの無い基地局にアクセスすることなく、短時間で確実に空き通話チャネルのある基地局に接続できる移動体通信システムを実現することができる。
【００１９】
実施の形態２．
本実施の形態では、基地局は、全通話チャネルが使用中（空き通話チャネルがない状態）又は通話チャネルが設定されている移動局の通信トラヒックが一定レベル以上である場合に、制御チャネル（制御情報）の信号構成を変更して制御チャネルを送信する。
【００２０】
図４は、本実施の形態における基地局、移動局の動作を示すシーケンス図である。
図４では、基地局１は図１の基地局３ａに相当し、基地局２は図１の基地局３ｂに相当し、基地局１において待受け中の移動局は図１の移動局２ｂに相当する。
【００２１】
基地局１において全通話チャネルが使用中になった場合（またはトラヒックが一定レベル以上になった場合）、基地局１は制御チャネル（制御情報）中にあるユニーク・ワードの変更を行う。
これにより、基地局１からの制御チャネルを受信して待受け中であった移動局は、ユニーク・ワードが変更されたため基地局１からの制御チャネルが認識できなくなり、サービス・エリアが重複しており、且つ空き通話チャネルを有する基地局２の制御チャネルを受信するよう切替えを行う。その後、移動局は、基地局２に対して呼接続要求メッセージ（通話チャネルの設定要求）を送信し、基地局２から設定された通話チャネルにて通話を開始する。
【００２２】
本実施の形態に係る基地局の構成は、図２３に示したものと同様である。
本実施の形態では、制御情報制御部３０４が通話チャネルの設定状況又は移動局の通信トラヒックを分析し、空き通話チャネルの数が所定数以下（例えば、ゼロ以下）になった場合、又は通信トラヒックが一定レベル以上になった場合に、制御情報生成部３０２にユニーク・ワードの変更を指示する。制御情報生成部３０２は、ユニーク・ワードを変更して制御情報を生成し、移動局用通信部３０１は、ユニーク・ワードが変更された制御情報を移動局に送信する。
【００２３】
以上のように、本実施の形態に係る移動体通信システムは、一つの基地局にて空き通話チャネルが無くなった場合、又はトラヒックが一定以上になった場合、当該基地局から送出する制御チャネル内にあるユニーク・ワードを変更して、制御チャネルを送出することにより、当該基地局で待受け中の移動局は、当該基地局からの制御チャネルを認識できなくなり、近隣の他基地局に接続することを特徴とする。
【００２４】
実施の形態３．
本実施の形態では、基地局は、全通話チャネルが使用中（空き通話チャネルがない状態）又は通話チャネルが設定されている移動局の通信トラヒックが一定レベル以上である場合に、制御チャネル（制御情報）の信号構成を変更して制御チャネルを送信する。
【００２５】
図５は、本実施の形態における基地局、移動局の動作を示すシーケンス図である。
図５では、基地局１は図１の基地局３ａに相当し、基地局２は図１の基地局３ｂに相当し、基地局１において待受け中の移動局は図１の移動局２ｂに相当する。
【００２６】
基地局１において全通話チャネルが使用中になった場合（またはトラヒックが一定レベル以上になった場合）、基地局１は制御チャネル（制御情報）中にあるユニーク・ワードの一部を変更する。
これにより、基地局１からの制御チャネルを受信して待受け中であった移動局は、基地局１からのユニーク・ワードのエラー率を測定し、一定以上の割合になった場合、即ち、基地局１からの制御チャネルを正確に認識できない状態になった場合に、基地局１からの制御チャネルの受信をあきらめ、サービス・エリアが重複しており、且つ空き通話チャネルを有する基地局２の制御チャネルを受信するよう切替えを行う。その後、移動局は、基地局２に対して呼接続要求メッセージ（通話チャネルの設定要求）を送信し、基地局２から設定された通話チャネルにて通話を開始する。
【００２７】
本実施の形態に係る基地局の構成は、図２３に示したものと同様である。
本実施の形態では、制御情報制御部３０４が通話チャネルの設定状況又は移動局の通信トラヒックを分析し、空き通話チャネルの数が所定数以下（例えば、ゼロ以下）になった場合、又は通信トラヒックが一定レベル以上になった場合に、制御情報生成部３０２にユニーク・ワードの一部の変更を指示する。制御情報生成部３０２は、ユニーク・ワードの一部を変更して制御情報を生成し、移動局用通信部３０１は、ユニーク・ワードの一部が変更された制御情報を移動局に送信する。
【００２８】
以上のように、本実施の形態に係る移動体通信システムは、一つの基地局にて空き通話チャネルが無くなった場合、又はトラヒックが一定以上になった場合、当該基地局から送出する制御チャネル内にあるユニーク・ワードの一部を変更して制御チャネルを送出することにより、当該基地局で待受け中の移動局は、当該基地局からの制御チャネル内のユニーク・ワードのエラー率に応じて、近隣の他基地局に接続することを特徴とする。
【００２９】
実施の形態４．
本実施の形態では、基地局は、全通話チャネルが使用中（空き通話チャネルがない状態）又は通話チャネルが設定されている移動局の通信トラヒックが一定レベル以上である場合に、制御チャネル（制御情報）の信号構成を変更して制御チャネルを送信する。
【００３０】
図６は、本実施の形態における基地局、移動局の動作を示すシーケンス図である。
図６では、基地局１は図１の基地局３ａに相当し、基地局２は図１の基地局３ｂに相当し、基地局１において待受け中の移動局は図１の移動局２ｂに相当する。
【００３１】
基地局１において全通話チャネルが使用中になった場合（またはトラヒックが一定レベル以上になった場合）、基地局１は制御チャネル（制御情報）のフレーム長の変更を行う。
これにより、基地局１からの制御チャネルを受信して待受け中であった移動局は、基地局１からのフレーム長が変更されたため制御チャネルが認識できなくなり、サービス・エリアが重複しており、且つ空き通話チャネルを有する基地局２の制御チャネルを受信するよう切替えを行う。その後、移動局は、基地局２に対して呼接続要求メッセージ（通話チャネルの設定要求）を送信し、基地局２から設定された通話チャネルにて通話を開始する。
【００３２】
本実施の形態に係る基地局の構成は、図２３に示したものと同様である。
本実施の形態では、制御情報制御部３０４が通話チャネルの設定状況又は移動局の通信トラヒックを分析し、空き通話チャネルの数が所定数以下（例えば、ゼロ以下）になった場合、又は通信トラヒックが一定レベル以上になった場合に、制御情報生成部３０２にフレーム長の変更を指示する。制御情報生成部３０２は、フレーム長を変更して制御情報を生成し、移動局用通信部３０１は、フレーム長が変更された制御情報を移動局に送信する。
【００３３】
以上のように、本実施の形態に係る移動体通信システムは、一つの基地局にて空き通話チャネルが無くなった場合、又はトラヒックが一定以上になった場合、当該基地局から送出する制御チャネルのフレーム長を変更することにより、当該基地局で待受け中の移動局は、当該基地局からの制御チャネルを認識できなくなり、近隣の他基地局に接続することを特徴とする。
【００３４】
実施の形態５．
本実施の形態では、基地局は、全通話チャネルが使用中（空き通話チャネルがない状態）又は通話チャネルが設定されている移動局の通信トラヒックが一定レベル以上である場合に、制御チャネル（制御情報）の信号構成を変更して制御チャネルを送信する。
【００３５】
図７は、本実施の形態における基地局、移動局の動作を示すシーケンス図である。
図７では、基地局１は図１の基地局３ａに相当し、基地局２は図１の基地局３ｂに相当し、基地局１において待受け中の移動局は図１の移動局２ｂに相当する。
【００３６】
基地局１において全通話チャネルが使用中になった場合（またはトラヒックが一定レベル以上になった場合）、基地局１は制御チャネル（制御情報）のＬＣＣＨ（Ｌｏｇｉｃａｌ  Ｃｏｎｔｒｏｌ  Ｃｈａｎｎｅｌ）マルチ・フレーム構成の変更を行う。
これにより、基地局１からの制御チャネルを受信して待受け中であった移動局は、基地局１からのマルチ・フレーム構成が変更されたため制御チャネルが認識できなくなり、サービス・エリアが重複しており、且つ空き通話チャネルを有する基地局２の制御チャネルを受信するよう切替えを行う。その後、移動局は、基地局２に対して呼接続要求メッセージ（通話チャネルの設定要求）を送信し、基地局２から設定された通話チャネルにて通話を開始する。
【００３７】
本実施の形態に係る基地局の構成は、図２３に示したものと同様である。
本実施の形態では、制御情報制御部３０４が通話チャネルの設定状況又は移動局の通信トラヒックを分析し、空き通話チャネルの数が所定数以下（例えば、ゼロ以下）になった場合、又は通信トラヒックが一定レベル以上になった場合に、制御情報生成部３０２にＬＣＣＨマルチ・フレームの構成の変更を指示する。制御情報生成部３０２は、ＬＣＣＨマルチ・フレームの構成を変更して制御情報を生成し、移動局用通信部３０１は、ＬＣＣＨマルチ・フレームの構成が変更された制御情報を移動局に送信する。
【００３８】
以上のように、本実施の形態に係る移動体通信システムは、一つの基地局にて空き通話チャネルが無くなった場合、又はトラヒックが一定以上になった場合、当該基地局から送出する制御チャネルのＬＣＣＨスーパーフレーム構成を変更することにより、当該基地局で待受け中の移動局は、当該基地局からの制御チャネルを認識できなくなり、近隣の他基地局に接続することを特徴とする。
【００３９】
実施の形態６．
本実施の形態では、基地局は、全通話チャネルが使用中（空き通話チャネルがない状態）又は通話チャネルが設定されている移動局の通信トラヒックが一定レベル以上である場合に、移動局に対して制御チャネル（制御情報）の受信停止を指示する。
【００４０】
図８は、本実施の形態における基地局、移動局の動作を示すシーケンス図である。
図８では、基地局１は図１の基地局３ａに相当し、基地局２は図１の基地局３ｂに相当し、基地局１において待受け中の移動局は図１の移動局２ｂに相当する。
【００４１】
基地局１において全通話チャネルが使用中になった場合（またはトラヒックが一定レベル以上になった場合）、基地局１は移動局に対して制御チャネル（制御情報）の受信停止を指示する制御チャネル受信停止指示（受信停止指示情報）を常時送出する。
これにより、基地局１からの制御チャネルを受信して待受け中であった移動局は、基地局１からの制御チャネル受信停止指示を受信した後、基地局１からの制御チャネルの受信を停止し、サービス・エリアが重複しており、且つ空き通話チャネルを有する基地局２の制御チャネルを受信するよう切替えを行う。その後、移動局は、基地局２に対して呼接続要求メッセージ（通話チャネルの設定要求）を送信し、基地局２から設定された通話チャネルにて通話を開始する。
【００４２】
本実施の形態に係る基地局の構成は、図２３に示したものと同様である。
本実施の形態では、制御情報制御部３０４が通話チャネルの設定状況又は移動局の通信トラヒックを分析し、空き通話チャネルの数が所定数以下（例えば、ゼロ以下）になった場合、又は通信トラヒックが一定レベル以上になった場合に、制御チャネル受信停止指示を生成し、移動局用通信部３０１は、制御チャネル受信停止指示を移動局に送信する。
【００４３】
なお、以上の説明では、基地局１からは制御チャネルの受信停止を指示する制御チャネル受信停止指示を送信することとしたが、制御チャネルの受信停止を指示するだけでなく制御チャネルの切替えを指示する制御チャネル切替え指示を送信してもよい。
【００４４】
以上のように、本実施の形態に係る移動体通信システムは、一つの基地局にて空き通話チャネルが無くなった場合、又はトラヒックが一定以上になった場合、当該基地局から待受け中の移動局に対して、制御チャネル受信停止指示を移動局に常時送信することにより、当該基地局で待受け中の移動局が近隣の他基地局に接続することを特徴とする。
【００４５】
実施の形態７．
図９は、本実施の形態における基地局、移動局、基地局制御局の動作を示すシーケンス図である。
図９では、基地局１は図１の基地局３ａに相当し、基地局２は図１の基地局３ｂに相当し、基地局制御装置１は図１の基地局制御装置４ａに相当し、基地局１において待受け中の移動局は図１の移動局２ｂのうち基地局３ａから制御チャネルを受信している移動局に相当し、基地局２において待受け中の移動局は図１の移動局２ｂのうち基地局３ｂから制御チャネルを受信している移動局に相当する。
また、基地局１は第１の基地局に相当し、基地局２は第２の基地局に相当し、基地局１において待受け中の移動局は第１エリア内通信端末に相当し、基地局２において待受け中の移動局は、第２エリア内通信端末に相当する。
【００４６】
基地局１において全通話チャネルが使用中になった場合（またはトラヒックが一定レベル以上になった場合）、基地局１は移動局に対して実施の形態１〜６で示した処理の何れかを実施し、これにより呼接続要求メッセージ（通信チャネルの設定要求）の受付けを中止する。
基地局１で待受け中の移動局では、基地局１による実施の形態１〜６で示した何れかの処理により基地局１からの制御チャネルの受信を停止し、サービス・エリアが重複しており、且つ空き通話チャネルを有する基地局２の制御チャネルを受信するよう切替えを行う。
また、基地局１は呼接続要求メッセージ（通信チャネルの設定要求）の受付けを中止した旨を通知する通知情報を生成し、基地局制御装置１を介して、基地局制御装置１に接続されて同一一斉呼出しエリアに設定されている基地局２に対して通知情報を送信する。
基地局制御装置１から通知情報を受信した基地局２は、基地局２で待受け中の移動局に対して通知情報を送信し、基地局１が呼接続要求メッセージ（通信チャネルの設定要求）の受付けを中止した旨を報知する。
これにより、基地局２で待受け中の移動局は、移動に伴うハンド・オーバ時や位置登録時に、基地局１を選択せず、呼接続要求メッセージ（通信チャネルの設定要求）を受付けている他の基地局に接続する。
【００４７】
図２４に、本実施の形態に係る基地局の構成例を示す。
図２４において、３０１〜３０６は図２３に示したものと同様であり、説明を省略する。
通知情報生成部３０７は、制御情報制御部３０４により実施の形態１〜６に示した処理のいずれかが行われたときに、呼接続要求メッセージ（通信チャネルの設定要求）の受付けを中止した旨を通知する通知情報を生成する。
通知情報生成部３０７により生成された通知情報は制御装置用通信部３０５により基地局制御装置に送信される。
【００４８】
以上のように、本実施の形態に係る移動体通信システムは、一つの基地局にて空き通話チャネルが無くなった場合、又はトラヒックが一定以上になった場合、上記の実施の形態１〜６の処理のいずれかを実施した後、基地局制御装置を介して当該基地局と同一一斉呼出しエリアにある他基地局に対して、当該基地局が呼接続要求メッセージ（通信チャネルの設定要求）の受付けを中止した旨を通知し、通知を受けた他基地局は、各々の基地局で待受け中の移動局に対して、当該基地局が呼接続要求メッセージ（通信チャネルの設定要求）の受付けを中止した旨の通知を行うことにより、他基地局配下で待受け中、又は通信中の移動局は、ハンド・オーバや移動に伴う位置登録時に、当該基地局を接続先として選択しないことを特徴とする。
【００４９】
実施の形態８．
図１０は、本実施の形態における基地局、移動局、基地制御装置の動作を示すシーケンス図である。
図１０では、基地局１は図１の基地局３ａに相当し、基地局３は図１の基地局３ｃ又は基地局３ｄに相当し、基地局制御装置１は図１の基地局制御装置４ａに相当し、基地局制御装置１は図１の基地局制御装置４ｂに相当し、基地局１において待受け中の移動局は図１の移動局２ｂのうち基地局３ａから制御チャネルを受信している移動局に相当し、基地局３において待受け中の移動局は図１の移動局２ｂのうち基地局３ｃ又は基地局３ｄから制御チャネルを受信している移動局に相当する。
また、基地局１は第１の基地局に相当し、基地局３は第２の基地局に相当し、基地局制御装置１は第１の基地局制御装置に相当し、基地局制御装置２は第２の基地局制御装置に相当し、基地局１において待受け中の移動局は第１エリア内通信端末に相当し、基地局３において待受け中の移動局は、第２エリア内通信端末に相当する。
【００５０】
基地局１において全通話チャネルが使用中になった場合（またはトラヒックが一定レベル以上になった場合）、基地局１は移動局に対して実施の形態１〜６で示した処理の何れかを実施し、これにより呼接続要求メッセージ（通信チャネルの設定要求）の受付けを中止する。
基地局１で待受け中の移動局では、基地局１による実施の形態１〜６で示した何れかの処理により基地局１からの制御チャネルの受信を停止し、サービス・エリアが重複しており、且つ空き通話チャネルを有する基地局（例えば基地局３）の制御チャネルを受信するよう切替えを行う。
また、基地局１は呼接続要求メッセージ（通信チャネルの設定要求）の受付けを中止した旨を通知する通知情報を生成し、基地局制御装置１及び２を介して、基地局制御装置２に接続されて異なる一斉呼出しエリアに設定されている基地局３に対して通知情報を送信する。
基地局制御装置２から通知情報を受信した基地局３は、基地局３で待受け中の移動局に対して通知情報を送信し、基地局１が呼接続要求メッセージ（通信チャネルの設定要求）の受付けを中止した旨を報知する。これにより、基地局３で待受け中の移動局は、移動に伴うハンド・オーバ時や位置登録時に、基地局１を選択せず、他の空き通話チャネルを有する基地局に接続する。
【００５１】
本実施の形態に係る基地局の構成は、図２４に示したものと同様である。
すなわち、制御情報制御部３０４により実施の形態１〜６に示した処理のいずれかが行われたときに、通知情報生成部３０７が通知情報を生成し、制御装置用通信部３０５が通知情報を基地局制御装置に送信する。
【００５２】
以上のように、本実施の形態に係る移動体通信システムは、一つの基地局にて空き通話チャネルが無くなった場合、又はトラヒックが一定以上になった場合、上記の実施の形態１〜６のいずれかの処理と実施の形態７の処理とを実施した後、当該基地局と異なる一斉呼出しエリアを制御する基地局制御装置を介して、当該基地局と異なる一斉呼出しエリアにある他基地局に対して、当該基地局が呼接続要求メッセージ（通信チャネルの設定要求）の受付けを中止した旨を通知し、通知を受けた他基地局は、各々の基地局で待受け中の移動局に対して、当該基地局が呼接続要求メッセージ（通信チャネルの設定要求）の受付けを中止した旨の通知を行うことにより、他基地局配下で待受け中、又は通信中の移動局は、ハンド・オーバや移動に伴う位置登録時に、当該基地局を接続先として選択しないことを特徴とする。
【００５３】
実施の形態９．
図１１は、本実施の形態における基地局、移動局、基地局制御装置の動作を示すシーケンス図である。
基地局１は図１の基地局３ａに相当し、基地局２は図１の基地局３ｂに相当し、基地局制御装置１は図１の基地局制御装置４ａに相当し、基地局１において待受け中の移動局は図１の移動局２ｂに相当する。
【００５４】
基地局１において全通話チャネルが使用中になった場合（またはトラヒックが一定レベル以上になった場合）、基地局制御装置１は回線の使用状況から基地局１において全通話チャネルが使用中になったこと（またはトラヒックが一定レベル以上になったこと）を認識し、基地局１において待受け中の移動局に対して制御チャネル（制御情報）の受信停止を指示する制御チャネル受信停止指示（受信停止指示情報）を生成するよう基地局１に指示する制御指示を生成し、生成した制御指示を基地局１に送信する。
そして、基地局１では制御指示に従い制御チャネル受信停止指示（受信停止指示情報）を生成し、基地局１において待受け中の移動局に対して制御チャネル受信停止指示を送信する。
これにより、基地局１からの制御チャネルを受信して待受け中であった移動局は、基地局１からの制御チャネル受信停止指示を受信した後、基地局１からの制御チャネル受信を停止し、サービス・エリアが重複しており、且つ空き通話チャネルを有する基地局２の制御チャネルを受信するよう切替えを行う。
【００５５】
本実施の形態に係る基地局の構成は、図２３に示したものと同様である。
本実施の形態では、制御装置用通信部３０５が基地局制御装置から制御指示を受信し、制御情報制御部３０４が制御指示に従って制御チャネル受信停止指示を生成し、移動局用通信部３０１が制御チャネル受信停止指示を移動局に送信する。
【００５６】
なお、以上の説明では、基地局１からは制御チャネルの受信停止を指示する制御チャネル受信停止指示を送信することとしたが、制御チャネルの受信停止を指示するだけでなく制御チャネルの切替えを指示する制御チャネル切替え指示を送信してもよい。
【００５７】
また、以上の説明では、基地局制御装置１は基地局１に制御チャネル受信停止指示の生成を指示する制御指示を生成し、基地局１が制御チャネル受信停止指示を生成することとしたが、基地局制御装置１が制御チャネル受信停止指示そのものを生成し、基地局１では基地局制御装置１から送信された制御チャネル受信停止指示を無線送信用に変換（再生成）して移動局に送信するようにしてもよい。
【００５８】
以上のように、本実施の形態に係る移動体通信システムは、一つの基地局にて空き通話チャネルが無くなった場合、又はトラヒックが一定以上になった場合、当該基地局を制御する基地局制御装置からの指示に応じ、当該基地局は待受け中の移動局に対して制御チャネル受信停止指示を常時送信することにより、当該基地局で待受け中の移動局が近隣の他基地局に接続することを特徴とする。
【００５９】
実施の形態１０．
図１２は、本実施の形態における基地局、移動局、基地局制御装置の動作を示すシーケンス図である。
図１２では、基地局１は図１の基地局３ａに相当し、基地局２は図１の基地局３ｂに相当し、基地局制御装置１は図１の基地局制御装置４ａに相当し、基地局１において待受け中の移動局は図１の移動局２ｂのうち基地局３ａから制御チャネルを受信している移動局に相当し、基地局２において待受け中の移動局は図１の移動局２ｂのうち基地局３ｂから制御チャネルを受信している移動局に相当する。
【００６０】
基地局１において全通話チャネルが使用中になった場合（またはトラヒックが一定レベル以上になった場合）、基地局１は移動局に対して実施の形態１〜６に示した処理の何れかを実施し、呼接続要求メッセージ（通信チャネルの設定要求）の受付けを中止する。
基地局制御装置１は、回線の使用状況から基地局１において全通話チャネルが使用中になったこと（またはトラヒックが一定レベル以上になったこと）を認識し、基地局１が呼接続要求メッセージ（通信チャネルの設定要求）の受付けを中止したことを認識する。そして、基地局制御装置１は、基地局１が呼接続要求メッセージ（通信チャネルの設定要求）の受付けを中止した旨を通知する通知情報を生成し、基地局制御装置１に接続されて同一一斉呼出しエリアに設定されている基地局２に対して通知情報を送信する。
基地局制御装置１から通知情報を受信した基地局２は、基地局２で待受け中の移動局に対して通知情報を送信し、基地局１が呼接続要求メッセージ（通信チャネルの設定要求）の受付けを中止した旨を報知する。
これにより、基地局２で待受け中の移動局は、移動に伴うハンド・オーバ時や位置登録時に、基地局１を選択せず、呼接続要求メッセージ（通信チャネルの設定要求）を受付けている他の基地局に接続する。
【００６１】
以上のように、本実施の形態に係る移動体通信システムは、一つの基地局にて空き通話チャネルが無くなった場合、又はトラヒックが一定以上になった場合、当該無線基地局は上記の実施の形態１〜６に示した処理のいずれかを実施し、当該基地局を制御する基地局制御装置は、同一一斉呼出しエリア内にある基地局に対して、当該基地局が呼接続要求メッセージの受付けを中止した旨を通知し、通知を受けた他基地局は、各々の基地局で待受け中の移動局に対して、当該基地局が呼接続要求メッセージの受付けを中止した旨の通知を行うことにより、他基地局配下で待受け中、又は通信中の移動局は、ハンド・オーバや移動に伴う位置登録時に、当該基地局を接続先として選択しないことを特徴とする。
【００６２】
実施の形態１１．
図１３は、本実施の形態における基地局、移動局、基地局制御装置の動作を示すシーケンス図である。
図１３では、基地局１は図１の基地局３ａに相当し、基地局３は図１の基地局３ｃ又は基地局３ｄに相当し、基地局制御装置１は図１の基地局制御装置４ａに相当し、基地局制御装置１は図１の基地局制御装置４ｂに相当し、基地局１において待受け中の移動局は図１の移動局２ｂのうち基地局３ａから制御チャネルを受信している移動局に相当し、基地局３において待受け中の移動局は図１の移動局２ｂのうち基地局３ｃ又は基地局３ｄから制御チャネルを受信している移動局に相当する。
【００６３】
基地局１において全通話チャネルが使用中になった場合（またはトラヒックが一定レベル以上になった場合）、基地局１は移動局に対して実施の形態１〜６に示した処理の何れかを実施し、呼接続要求メッセージ（通信チャネルの設定要求）の受付けを中止する。
基地局制御装置１は、回線の使用状況から基地局１において全通話チャネルが使用中になったこと（またはトラヒックが一定レベル以上になったこと）を認識し、基地局１が呼接続要求メッセージ（通信チャネルの設定要求）の受付けを中止したことを認識する。そして、基地局制御装置１は、基地局１が呼接続要求メッセージ（通信チャネルの設定要求）の受付けを中止した旨を通知する通知情報を生成し、基地局制御装置２を介して、基地局制御装置２に接続されて異なる一斉呼出しエリアに設定されている基地局３に対して通知情報を送信する。
基地局制御装置２から通知情報を受信した基地局３は、基地局３で待受け中の移動局に対して通知情報を送信し、基地局１が呼接続要求メッセージ（通信チャネルの設定要求）の受付けを中止した旨を報知する。
これにより、基地局３で待受け中の移動局は、移動に伴うハンド・オーバ時や位置登録時に、基地局１を選択せず、他の空き通話チャネルを有する基地局に接続する。
【００６４】
以上のように、本実施の形態に係る移動体通信システムは、一つの基地局にて空き通話チャネルが無くなった場合、又はトラヒックが一定以上になった場合、上記の実施の形態１〜６に示した処理のいずれかと実施の形態７、又は実施の形態１０を実施した後、当該基地局と異なる一斉呼出しエリアを制御する基地局制御装置を介して、当該基地局と異なる一斉呼出しエリアにある他基地局に対して、当該基地局が呼接続要求メッセージの受付けを中止した旨を通知し、通知を受けた他基地局は、各々の基地局で待受け中の移動局に対して、当該基地局に空き通話チャネルがなくなった旨の通知を行うことにより、他基地局配下で待受け中、又は通信中の移動局は、ハンド・オーバや移動に伴う位置登録時に、当該基地局を接続先として選択しないことを特徴とする。
【００６５】
実施の形態１２．
図１４は、本実施の形態における基地局、移動局、基地制御装置の動作を示すシーケンス図である。
図１４では、基地局１は図１の基地局３ａに相当し、基地局２は図１の基地局３ｂに相当し、基地局制御装置１は図１の基地局制御装置４ａに相当し、基地局１において待受け中の移動局は図１の移動局２ｂに相当する。
【００６６】
基地局１において全通話チャネルが使用中になった場合（またはトラヒックが一定レベル以上になった場合）に、基地局制御装置１は基地局１において全通話チャネルが使用中になったこと（またはトラヒックが一定レベル以上になったこと）を認識し、基地局１に対して制御チャネル（制御情報）の送出停止を指示する制御指示を送信する。
基地局制御装置１からの制御指示を受信した基地局１は、制御指示に基づき、移動局に対する制御チャネル（制御情報）の送出を停止する。
基地局１からの制御チャネルを受信して待受け中であった移動局は、基地局１からの制御チャネル（制御情報）の送出が停止されたことにより、制御チャネルが認識できなくなり、サービス・エリアが重複しており、且つ空き通話チャネルを有する基地局２の制御チャネルを受信するよう切替えを行う。
【００６７】
本実施の形態に係る基地局の構成は、図２３に示したものと同様である。
本実施の形態では、制御装置用通信部３０５が基地局制御装置から制御指示を受信し、制御情報制御部３０４が制御指示に従って移動局用通信部３０１に制御チャネルの送出の停止を指示し、移動局用通信部３０１は制御情報制御部３０４の指示に従って制御チャネルの送信を停止する。
【００６８】
以上のように、本実施の形態に係る移動体通信システムは、一つの基地局にて空き通話チャネルが無くなった場合、又はトラヒックが一定以上になった場合、当該基地局を制御する基地局制御装置からの指示に応じ、当該基地局は制御チャネルの送出を停止することにより、当該基地局で待受け中の移動局が近隣の他基地局に接続することを特徴とする。
【００６９】
実施の形態１３．
図１５は、本実施の形態における基地局、移動局、基地制御装置の動作を示すシーケンス図である。
図１５では、基地局１は図１の基地局３ａに相当し、基地局２は図１の基地局３ｂに相当し、基地局制御装置１は図１の基地局制御装置４ａに相当し、基地局１において待受け中の移動局は図１の移動局２ｂに相当する。
【００７０】
基地局１において全通話チャネルが使用中になった場合（またはトラヒックが一定レベル以上になった場合）、基地局制御装置１は基地局１において全通話チャネルが使用中になったこと（またはトラヒックが一定レベル以上になったこと）を認識し、基地局１に対してユニーク・ワードの変更を指示する制御指示を送出する。
基地局制御装置１からの制御指示を受信した基地局１は、制御指示に基づき、移動局に対する制御チャネル（制御情報）中のユニーク・ワードを変更し、ユニーク・ワードが変更された制御チャネルを移動局に対して送信する。
基地局１からの制御チャネルを受信して待受け中であった移動局は、基地局１からのユニーク・ワードが変更されたことにより、制御チャネルが認識できなくなり、サービス・エリアが重複しており、且つ空き通話チャネルを有する基地局２の制御チャネルを受信するよう切替えを行う。
【００７１】
本実施の形態に係る基地局の構成は、図２３に示したものと同様である。
本実施の形態では、制御装置用通信部３０５が基地局制御装置から制御指示を受信し、制御情報制御部３０４が制御指示に従って制御情報生成部３０２にユニーク・ワードを変更するよう指示する。制御情報生成部３０２は制御情報制御部３０４の指示に従ってユニーク・ワードを変更して制御情報を生成し、移動局用通信部３０１はユニーク・ワードが変更された制御情報を移動局に対して送信する。
【００７２】
以上のように、本実施の形態に係る移動体通信システムは、一つの基地局にて空き通話チャネルが無くなった場合、又はトラヒックが一定以上になった場合、当該基地局を制御する基地局制御装置からの指示に応じ、当該基地局は制御チャネル内にあるユニーク・ワードを変更して制御チャネルを送出することにより、当該基地局で待受け中の移動局が当該基地局からの制御チャネルを認識できなくなり、近隣の他基地局に接続することを特徴とする。
【００７３】
実施の形態１４．
図１６は、本実施の形態における基地局、移動局、基地制御装置の動作を示すシーケンス図である。
図１６では、基地局１は図１の基地局３ａに相当し、基地局２は図１の基地局３ｂに相当し、基地局制御装置１は図１の基地局制御装置４ａに相当し、基地局１において待受け中の移動局は図１の移動局２ｂに相当する。
【００７４】
基地局１において全通話チャネルが使用中になった場合（またはトラヒックが一定レベル以上になった場合）、基地局制御装置１は基地局１において全通話チャネルが使用中になったこと（またはトラヒックが一定レベル以上になったこと）を認識し、基地局１に対してユニーク・ワードの変更を指示する制御指示を送出する。
基地局制御装置１からの制御指示を受信した基地局１は、制御指示に基づき、移動局に対する制御チャネル中のユニーク・ワードの一部を変更する。
これにより、基地局１からの制御チャネルを受信して待受け中であった移動局は、基地局１からのユニーク・ワードのエラー率を測定し、一定以上の割合になった場合、即ち、基地局１からの制御チャネルを正確に認識できない状態になった場合に、基地局１からの制御チャネルの受信をあきらめ、サービス・エリアが重複しており、且つ空き通話チャネルを有する基地局２の制御チャネルを受信するよう切替えを行う。
【００７５】
本実施の形態に係る基地局の構成は、図２３に示したものと同様である。
本実施の形態では、制御装置用通信部３０５が基地局制御装置から制御指示を受信し、制御情報制御部３０４が制御指示に従って制御情報生成部３０２にユニーク・ワードの一部を変更するよう指示する。制御情報生成部３０２は制御情報制御部３０４の指示に従ってユニーク・ワードの一部を変更して制御情報を生成し、移動局用通信部３０１はユニーク・ワードの一部が変更された制御情報を移動局に対して送信する。
【００７６】
以上のように、本実施の形態に係る移動体通信システムは、一つの基地局にて空き通話チャネルが無くなった場合、又はトラヒックが一定以上になった場合、当該基地局を制御する基地局制御装置からの指示に応じ、当該基地局は送出する制御チャネル内にあるユニーク・ワードの一部を変更して制御チャネルを送出することにより、当該基地局で待受け中の移動局は、当該基地局からの制御チャネル内のユニーク・ワードのエラー率に応じて、近隣の他基地局に接続することを特徴とする。
【００７７】
実施の形態１５．
図１７は、本実施の形態における基地局、移動局、基地局制御装置の動作を示すシーケンス図である。
図１７では、基地局１は図１の基地局３ａに相当し、基地局２は図１の基地局３ｂに相当し、基地局制御装置１は図１の基地局制御装置４ａに相当し、基地局１において待受け中の移動局は図１の移動局２ｂに相当する。
【００７８】
基地局１において全通話チャネルが使用中になった場合（またはトラヒックが一定レベル以上になった場合）、基地局制御装置１は基地局１において全通話チャネルが使用中になったこと（またはトラヒックが一定レベル以上になったこと）を認識し、基地局１に対して制御チャネル（制御情報）のフレーム長を変更するよう指示する制御指示を送出する。
基地局制御装置１からの制御指示を受信した基地局１は、制御指示に基づき、制御チャネル（制御情報）のフレーム長を変更し、制御チャネルを送出する。
基地局１からの制御チャネルを受信して待受け中であった移動局は、基地局１からのフレーム長が変更されたことにより、制御チャネルが認識できなくなり、サービス・エリアが重複しており、且つ空き通話チャネルを有する基地局２の制御チャネルを受信するよう切替えを行う。
【００７９】
本実施の形態に係る基地局の構成は、図２３に示したものと同様である。
本実施の形態では、制御装置用通信部３０５が基地局制御装置から制御指示を受信し、制御情報制御部３０４が制御指示に従って制御情報生成部３０２にフレーム長を変更するよう指示する。制御情報生成部３０２は制御情報制御部３０４の指示に従ってフレーム長を変更して制御情報を生成し、移動局用通信部３０１はフレーム長が変更された制御情報を移動局に対して送信する。
【００８０】
以上のように、本実施の形態に係る移動体通信システムは、一つの基地局にて空き通話チャネルが無くなった場合、又はトラヒックが一定以上になった場合、当該基地局を制御する基地局制御装置からの指示に応じ、当該基地局は制御チャネルのフレーム長を変更して制御チャネルを送出することにより、当該基地局で待受け中の移動局が当該基地局からの制御チャネルを認識できなくなり、近隣の他基地局に接続することを特徴とする。
【００８１】
実施の形態１６．
図１８は、本実施の形態における基地局、移動局、基地局制御装置の動作を示すシーケンス図である。
図１８では、基地局１は図１の基地局３ａに相当し、基地局２は図１の基地局３ｂに相当し、基地局制御装置１は図１の基地局制御装置４ａに相当し、基地局１において待受け中の移動局は図１の移動局２ｂに相当する。
【００８２】
基地局１において全通話チャネルが使用中になった場合（またはトラヒックが一定レベル以上になった場合）に、基地局制御装置１は回線の使用状況から基地局１において全通話チャネルが使用中になったこと（またはトラヒックが一定レベル以上になったこと）を認識し、基地局１に対して制御チャネル（制御情報）のＬＣＣＨマルチ・フレーム構成を変更するよう指示する制御指示を送出する。
基地局制御装置１からの制御指示を受信した基地局１は、制御指示に基づき、制御チャネル（制御情報）のＬＣＣＨマルチ・フレーム構成を変更し、制御チャネルを送出する。
基地局１からの制御チャネルを受信して待受け中であった移動局は、基地局１からのＬＣＣＨマルチ・フレーム構成が変更されたことにより、制御チャネルが認識できなくなり、サービス・エリアが重複しており、且つ空き通話チャネルを有する基地局２の制御チャネルを受信するよう切替えを行う。
【００８３】
本実施の形態に係る基地局の構成は、図２３に示したものと同様である。
本実施の形態では、制御装置用通信部３０５が基地局制御装置から制御指示を受信し、制御情報制御部３０４が制御指示に従って制御情報生成部３０２にＬＣＣＨマルチ・フレーム構成を変更するよう指示する。制御情報生成部３０２は制御情報制御部３０４の指示に従ってＬＣＣＨマルチ・フレーム構成を変更して制御情報を生成し、移動局用通信部３０１はＬＣＣＨマルチ・フレーム構成が変更された制御情報を移動局に対して送信する。
【００８４】
以上のように、本実施の形態に係る移動体通信システムは、一つの基地局にて空き通話チャネルが無くなった場合、又はトラヒックが一定以上になった場合、当該基地局を制御する基地局制御装置からの指示に応じ、当該基地局は制御チャネルのＬＣＣＨスーパーフレーム構成を変更して制御チャネルを送出することにより、当該基地局で待受け中の移動局が当該基地局からの制御チャネルを認識できなくなり、近隣の他基地局に接続することを特徴とする。
【００８５】
実施の形態１７．
図１９は、本実施の形態における基地局、移動局の動作を示すシーケンス図である。
図１９では、基地局１は図１の基地局３ａに相当し、基地局２は図１の基地局３ｂに相当し、基地局１において待受け中の移動局及び待受け中の他移動局は図１の移動局２ｂに相当する。
【００８６】
基地局１において全通話チャネルが使用中になった場合（またはトラヒックが一定レベル以上になった場合）、基地局１は移動局に対して制御チャネル（制御情報）の受信の停止を指示する制御チャネル受信停止指示（受信停止指示情報）を生成し、生成した制御チャネル受信停止指示を待受け中の特定の移動局に送出する。
基地局１からの制御チャネル受信停止指示を受信した移動局は、基地局１からの制御チャネルの受信を停止し、基地局２からの制御チャネルを受信するよう切替えを行うとともに、近隣の他移動局に対して制御チャネル受信停止指示を送信する。
制御チャネル受信停止指示を受信した移動局は、基地局１からの制御チャネルの受信を停止し、基地局２からの制御チャネルを受信するよう切替えを行うとともに、近隣の他移動局に対して制御チャネル受信停止指示を送信する。
以降、移動局間で制御チャネル受信停止指示の送信を繰返し、基地局１において待受け中の複数の移動局で制御チャネル受信停止指示を順次転送していく。
これにより、移動局は移動に伴うハンド・オーバや位置登録時に、空き通話チャネルの無い基地局１を選択せず、空きチャネルを有する基地局２に接続する。
【００８７】
以上のように、本実施の形態に係る移動体通信システムは、一つの基地局にて空き通話チャネルが無くなった場合、又はトラヒックが一定以上になった場合、当該基地局は待受け中の移動局に対して制御チャネル受信停止指示を送信し、当該基地局から制御チャネル受信停止指示を受信した移動局は他基地局で待受けるように切替を行なうとともに、自律的に制御チャネル受信停止指示を周辺の移動局に対して周期的に送信する。更に、当該移動局から当該制御チャネル受信停止指示を受信した周辺の移動局は、同様に周辺の移動局に対して送信することを特徴とする。
【００８８】
実施の形態１８．
図２０は、本実施の形態における基地局、移動局、基地局制御装置の動作を示すシーケンス図である。
図２０では、基地局１は図１の基地局３ａに相当し、基地局２は図１の基地局３ｂに相当し、基地局制御装置１は図１の基地局制御装置４ａに相当し、基地局１において待受け中の移動局及び待受け中の他移動局は図１の移動局２ｂに相当する。
【００８９】
基地局１において全通話チャネルが使用中になった場合（またはトラヒックが一定レベル以上になった場合）に、基地局制御装置１は回線の使用状況から基地局１において全通話チャネルが使用中になったこと（またはトラヒックが一定レベル以上になったこと）を認識し、基地局１に対して制御チャネル受信停止指示の送信を指示する制御指示を送出する。
基地局制御装置１からの制御指示を受信した基地局１は、制御指示に従い、制御チャネル受信停止指示を生成し、生成した制御チャネル受信停止指示を待受け中の特定の移動局に送出する。
基地局１からの制御チャネル受信停止指示を受信した移動局は、基地局１からの制御チャネルの受信を停止し、基地局２からの制御チャネルを受信するよう切替えを行うとともに、近隣の他移動局に対して制御チャネル受信停止指示を送信する。
制御チャネル受信停止指示を受信した移動局は、基地局１からの制御チャネルの受信を停止し、基地局２からの制御チャネルを受信するよう切替えを行うとともに、近隣の他移動局に対して制御チャネル受信停止指示を送信する。
以降、以上の手順を繰返して、基地局１において待受け中の複数の移動局で制御チャネル受信停止指示を順次転送していく。
これにより、移動局は移動に伴うハンド・オーバや位置登録時に、空き通話チャネルの無い基地局１を選択せず、空きチャネルを有する基地局２に接続する。
【００９０】
以上のように、本実施の形態に係る移動体通信システムは、一つの基地局にて空き通話チャネルが無くなった場合、又はトラヒックが一定以上になった場合、当該基地局を制御する基地局制御装置からの指示に応じ、当該基地局は待受け中の移動局に対して制御チャネル受信停止指示を送信し、当該基地局から制御チャネル受信停止指示を受信した移動局は他基地局で待受けるように切替を行なうとともに、自律的に制御チャネル受信停止指示を周辺の移動局に対して周期的に送信する。更に、当該移動局から制御チャネル受信停止指示を受信した周辺の移動局は、同様に周辺の移動局に対して送信することを特徴とする。
【００９１】
実施の形態１９．
図２１は、本実施の形態における基地局、移動局の動作を示すシーケンス図である。
図２１では、基地局１は図１の基地局３ａに相当し、基地局２は図１の基地局３ｂに相当し、基地局３は図１の基地局３ｃ又は基地局３ｄに相当し、基地局１において待受け中の移動局は図１の移動局２ｂのうち基地局３ａから制御チャネルを受信している移動局に相当し、基地局２において待受け中の移動局は図１の移動局２ｂのうち基地局３ｂから制御チャネルを受信している移動局に相当し、基地局３において待受け中の移動局は図１の移動局２ｂのうち基地局３ｃ又は基地局３ｄから制御チャネルを受信している移動局に相当する。
【００９２】
基地局１において全通話チャネルが使用中になった場合（またはトラヒックが一定レベル以上になった場合）に、基地局１は移動局に対して制御チャネル（制御情報）の受信の停止を指示する制御チャネル受信停止指示（受信停止指示情報）を送信するとともに、近隣に設置されている基地局２に対して、無線回線を通じて、呼接続要求メッセージ（通信チャネルの設定要求）の受付けを中止した旨を通知する通知情報を送信する。
基地局１より通知情報を受信した基地局２は、待受け中の移動局に対して通知情報を送信して基地局１が呼接続要求メッセージ（通信チャネルの設定要求）の受付けを中止した旨を通知するとともに、近隣に設置されている基地局３に対して、無線回線を通じて、通知情報を送信して基地局１が呼接続要求メッセージ（通信チャネルの設定要求）の受付けを中止した旨を通知する。
基地局２より通知情報を受信した基地局３は、待受け中の移動局に対して通知情報を送信して基地局１が呼接続要求メッセージ（通信チャネルの設定要求）の受付けを中止した旨を通知するとともに、近隣に設置されている基地局に対して、無線回線を通じて、通知情報を送信して基地局１が呼接続要求メッセージ（通信チャネルの設定要求）の受付けを中止した旨を通知する。
以降、基地局間で通知情報の送信を繰返し、複数の基地局で通知情報を順次転送していく。
これにより、移動局は移動に伴うハンド・オーバや位置登録時に、呼接続要求メッセージの受付けを中止している基地局１を選択せず、呼接続要求メッセージを受付けている基地局に接続する。
【００９３】
以上のように、本実施の形態に係る移動体通信システムは、一つの基地局にて空き通話チャネルが無くなった場合、又はトラヒックが一定以上になった場合、当該基地局は待受け中の移動局に対して制御チャネル受信停止指示を通知するとともに、近隣の他基地局に対して無線回線介して、当該基地局が呼接続要求メッセージの受付けを中止した旨を通知し、更に通知を受けた基地局は自セル内で待受け中の移動局に対して周期的に送信する。更に、当該基地局から通知を受信した近隣の基地局は、同様に近隣の基地局に対して当該通知を送信することを特徴とする。
【００９４】
実施の形態２０．
図２２は、本実施の形態における基地局、移動局、基地局制御装置の動作を示すシーケンス図である。
図２２では、基地局１は図１の基地局３ａに相当し、基地局２は図１の基地局３ｂに相当し、基地局３は図１の基地局３ｃ又は基地局３ｄに相当し、基地局制御装置１は図１の基地局制御装置４ａに相当し、基地局１において待受け中の移動局は図１の移動局２ｂのうち基地局３ａから制御チャネルを受信している移動局に相当し、基地局２において待受け中の移動局は図１の移動局２ｂのうち基地局３ｂから制御チャネルを受信している移動局に相当し、基地局３において待受け中の移動局は図１の移動局２ｂのうち基地局３ｃ又は基地局３ｄから制御チャネルを受信している移動局に相当する。
【００９５】
基地局１において全通話チャネルが使用中になった場合（またはトラヒックが一定レベル以上になった場合）、基地局制御装置１は回線の使用状況から基地局１に空き通話チャネルがなくなったこと（またはトラヒックが一定レベル以上になったこと）を認識し、基地局１において待受け中の移動局に対して制御チャネル（制御情報）の受信停止を指示する制御チャネル受信停止指示（受信停止指示情報）を生成するよう基地局１に指示する制御指示を生成し、生成した制御指示を基地局１に送信する。
そして、基地局１では制御指示に従い制御チャネル受信停止指示（受信停止指示情報）を生成し、基地局１において待受け中の移動局に対して制御チャネル受信停止指示を送信する。
また、基地局１は、呼接続要求メッセージ（通信チャネルの設定要求）の受付けを中止した旨を通知する通知情報を生成し、近隣に設置されている基地局２に通知情報を送信する。
通知情報を受信した基地局２は、待受け中の移動局に対して、基地局１に空き通話チャネルが無くなった旨を通知するとともに、待受け中の移動局に対して通知情報を送信して基地局１が呼接続要求メッセージ（通信チャネルの設定要求）の受付けを中止した旨を通知するとともに、近隣に設置されている基地局３に対して、無線回線を通じて、通知情報を送信して基地局１が呼接続要求メッセージ（通信チャネルの設定要求）の受付けを中止した旨を通知する。
基地局２より通知情報を受信した基地局３は、待受け中の移動局に対して通知情報を送信して基地局１が呼接続要求メッセージ（通信チャネルの設定要求）の受付けを中止した旨を通知するとともに、近隣に設置されている基地局に対して、無線回線を通じて通知情報を送信して基地局１が呼接続要求メッセージ（通信チャネルの設定要求）の受付けを中止した旨を通知する。
以降、基地局間で通知情報の送信を繰返し、複数の基地局で通知情報を順次転送していく。
これにより、移動局は移動に伴うハンド・オーバや位置登録時に、呼接続要求メッセージの受付けを中止している基地局１を選択せず、呼接続要求メッセージを受付けている基地局に接続する。
【００９６】
以上のように、本実施の形態に係る移動体通信システムは、一つの基地局にて空き通話チャネルが無くなった場合、又はトラヒックが一定以上になった場合、当該基地局を制御する基地局制御装置からの指示に応じ、当該基地局は待受け中の移動局に対して制御チャネル受信停止指示を送信するとともに、近隣の他基地局に対して無線回線介して、当該基地局に呼接続要求メッセージの受付けを中止した旨を通知し、更に通知を受けた基地局は自セル内で待受け中の移動局に対して周期的に送信する。更に、当該基地局から通知を受信した近隣の基地局は、同様に近隣の移動局に対して当該通知を送信することを特徴とする。
【図面の簡単な説明】
【００９７】
【図１】実施の形態１〜２０に係る移動体通信システムの全体構成例を示す図。
【図２】従来の技術を示すシーケンス図。
【図３】実施の形態１に係る動作を示すシーケンス図。
【図４】実施の形態２に係る動作を示すシーケンス図。
【図５】実施の形態３に係る動作を示すシーケンス図。
【図６】実施の形態４に係る動作を示すシーケンス図。
【図７】実施の形態５に係る動作を示すシーケンス図。
【図８】実施の形態６に係る動作を示すシーケンス図。
【図９】実施の形態７に係る動作を示すシーケンス図。
【図１０】実施の形態８に係る動作を示すシーケンス図。
【図１１】実施の形態９に係る動作を示すシーケンス図。
【図１２】実施の形態１０に係る動作を示すシーケンス図。
【図１３】実施の形態１１に係る動作を示すシーケンス図。
【図１４】実施の形態１２に係る動作を示すシーケンス図。
【図１５】実施の形態１３に係る動作を示すシーケンス図。
【図１６】実施の形態１４に係る動作を示すシーケンス図。
【図１７】実施の形態１５に係る動作を示すシーケンス図。
【図１８】実施の形態１６に係る動作を示すシーケンス図。
【図１９】実施の形態１７に係る動作を示すシーケンス図。
【図２０】実施の形態１８に係る動作を示すシーケンス図。
【図２１】実施の形態１９に係る動作を示すシーケンス図。
【図２２】実施の形態２１に係る動作を示すシーケンス図。
【図２３】実施の形態１に係る基地局の構成例を示す図。
【図２４】実施の形態７に係る基地局の構成例を示す図。
【符号の説明】
【００９８】
１  通話中の移動局、２  待受け中の移動局、３  基地局、４  基地局制御装置、５  サービス・エリア、３０１  移動局用通信部、３０２  制御情報生成部、３０３  通話チャネル設定部、３０４  制御情報制御部、３０５  制御装置用通信部、３０６  中継処理部、３０７  通知情報生成部。
【図１】
2008167477.tif 000003
【図２】
2008167477.tif 000004
【図３】
2008167477.tif 000005
【図４】
2008167477.tif 000006
【図５】
2008167477.tif 000007
【図６】
2008167477.tif 000008
【図７】
2008167477.tif 000009
【図８】
2008167477.tif 000010
【図９】
2008167477.tif 000011
【図１０】
2008167477.tif 000012
【図１１】
2008167477.tif 000013
【図１２】
2008167477.tif 000014
【図１３】
2008167477.tif 000015
【図１４】
2008167477.tif 000016
【図１５】
2008167477.tif 000017
【図１６】
2008167477.tif 000018
【図１７】
2008167477.tif 000019
【図１８】
2008167477.tif 000020
【図１９】
2008167477.tif 000021
【図２０】
2008167477.tif 000022
【図２１】
2008167477.tif 000023
【図２２】
2008167477.tif 000024
【図２３】
2008167477.tif 000025
【図２４】
2008167477.tif 000026